(57)【要約】【課題】ユーザの要望に応じて、静止画と動画を切り換えて録画したい方の画像を即座に記録でき、さらには記録中の動画から静止画を取り込むことができる画像記録装置を提供する。【解決手段】マイコン２３が、カーソルキー３８の左右キー３８が押されたことを確認した場合、左右キーの指示に従って画像表示処理部１８に記録識別マーク「●」を移動させる処理を行わせ、指示された画面に表示させる。マイコン３３は、録画キー４１が押されたことを確認した場合、記録識別マーク「●」が表示されている画面の画像を外部メモリ２１に記録をスタートする。【選択図】図１
2007110191.tif 000002
【特許請求の範囲】
【請求項１】
動画から静止画を取り込む指示を行う第１の操作部と、
前記第１の操作部の指示に従って動画から静止画を取り込む静止画取込部と、
動画を表示する動画表示画面と、取り込んだ静止画を表示する静止画表示画面とを同時に表示させる表示処理手段と、
記録対象を示す記録識別マークを表示する画面を選択する第２の操作部と、
前記第２の操作部により選択された画面に前記記録識別マークを表示する識別マーク表示処理手段と、
前記記録識別マークが表示されている画面の画像を記録する指示を行う第３の操作部と、
前記第３の操作部に指示により前記記録識別マークが表示されている画面の画像を記録する記録手段とを備えたことを特徴とする画像記録装置。
【請求項２】
前記第３の操作部の指示により前記記録手段が動画を記録中に、前記静止画取込部が前記第１の操作部からの指示により静止画を取り込んで、前記静止画表示画面に表示される静止画を更新することを特徴とする請求項１に記載の画像記録装置。
【請求項３】
前記静止画取込手段により、前記記録手段が記録する動画像から静止画を取り込み、前記記録手段により該静止画と前記記録動画を関連づけて記録し、
前記静止画を記録動画の代表図として表示し、表示された代表図を指定することにより動画再生を行うことを特徴とする請求項２に記載の画像記録装置。
【発明の詳細な説明】
【技術分野】
【０００１】
本発明は、動画像を表示させながら静止画をキャプチャしてＨＤ、ＤＶＤ、メモリカード等の記録媒体に記録する画記録装置に関する。
【背景技術】
【０００２】
テレビ放送等において、例えば、料理番組におけるレシピの内容、視聴者プレゼントの宛て先、あるいはサッカー選手のシュートの場面等の静止画を記録したいという要望がある。そこで、近年、ＰＣカード、ＨＤ、ＤＶＤなどの記録媒体に動画はもとより、上記静止画を記録することができる画像記録装置が提供されている。例えば、特許文献１には、動画と静止画を表示する２分割表示画面、ピー・イン・ピー（picture in picture）表示画面、ピー・アウト・ピー（picture out picture）表示画面を形成し、受信した動画を見ながら気に入った静止画を取込記録するテレビジョン受像機が記載されている。
【特許文献１】特開平９−２２４２１３号公報
【発明の開示】
【発明が解決しようとする課題】
【０００３】
特許文献１のテレビ受像機では、動画から静止画を取り込む指示をすると、その時点で記録媒体への記録が実行されるので、ユーザが動画像からキャプチャした画像がそのまま静止画として記録される。ところが、ユーザは、表示されている動画を見て、キャプチャした静止画ではなく、動画そのものを記録したい場合もある。さらには、記録中の動画から静止画も取り込みたい場合もある。しかし、特許文献１の技術では、このようなユーザの要望に応じて、動画像とキャプチャした静止画像を即座に切り換えて録画したり、録画している動画から静止画を取り込んで、今まで画面に表示されている静止画を更新することは難しい。
【０００４】
本発明は、斯かる実情に鑑み、ユーザの要望に応じて、静止画と動画を切り換えて録画したい方の画像を即座に記録でき、さらには記録中の動画から静止画を取り込むことができる画像記録装置を提供することを目的とするものである。
【課題を解決するための手段】
【０００５】
本発明は、動画から静止画を取り込む指示を行う第１の操作部と、前記第１の操作部の指示に従って動画から静止画を取り込む静止画取込部と、動画を表示する動画表示画面と、取り込んだ静止画を表示する静止画表示画面とを同時に表示させる表示処理手段と、記録対象を示す記録識別マークを表示する画面を選択する第２の操作部と、前記第２の操作部により選択された画面に前記記録識別マークを表示する識別マーク表示処理手段と、前記記録識マークが表示されている画面の画像を記録する指示を行う第３の操作部と、前記第３の操作部に指示により前記記録識別マークが表示されている画面の画像を記録する記録手段とを備えたことを特徴とする画像記録装置である。
【０００６】
また、本発明は、前記第３の操作部の指示により前記記録手段が動画を記録中に、前記静止画取込部が前記第１の操作部からの指示により静止画を取り込んで、前記静止画表示画面に表示される静止画を更新することを特徴とする。
【０００７】
また、本発明は、前記静止画取込手段により、前記記録手段が記録する動画像から静止画を取り込み、前記記録手段により該静止画と前記記録動画を関連づけて記録し、前記静止画を記録動画の代表図として表示し、表示された代表図を指定することにより動画再生を行うことを特徴とする。
【０００８】
また、本発明は、前記静止画像出力部は、画面を２分割して、動画と静止画を同一サイズに表示する画像データを生成することを特徴とする。
【発明の効果】
【０００９】
本発明は、動画を表示する動画表示画面と、取り込んだ静止画を表示する静止画表示画面を表示させ、記録識別マークを表示する画面に表示される画像を記録するので、動画リアルタイムで放送される番組等に対し、ユーザがキャプチャした静止画を記録するべきか、あるいは、現在放送中の動画を記録するべきかを判断した後ですぐにするべき操作を実行することが可能であり、さらに、撮りたい動画を取りのがすことなく、保存しておきたい静止画も後の操作で保存することができる。
【００１０】
また、動画記録中にも静止画をキャプチャしてベストショットを選択することができ、ユーザの好みの静止画を捉えることが可能である。
【００１１】
さらに、記録した動画像に関連したベストショットの静止画を代表図として表示しているので、記録した動画像の中身、概要を容易に思い出しやすくなる。
【発明を実施するための最良の形態】
【００１２】
以下、本発明の実施の形態を図面に基づいて詳細に説明する。
【００１３】
図１は、本発明に係る画像記録装置の実施形態である液晶テレビ受信機の構成を示すブロック図である。
このテレビ受信機は、アンテナ１１、チューナ１２、動画から静止画をキャプチャする静止画処理部１３、キャプチャした静止画を複数蓄積できる静止画用メモリ１４、画像出力部であるビデオプロセッサ１６、記録再生処理を可能とする制御部を有するスロット部２０、カード型記録媒体である外部メモリ２１、中央制御部であるマイクロコンピュータ（以下、マイコンと略す）２３、リモートコントロール（以下、リモコンと略す）２７からの操作指示を受信する受光部２４、ＲＯＭ２５、液晶表示部２６から構成されている。ビデオプロセッサ１６は、画像信号（動画、静止画）を選択するスイッチ１７と、スケーリング処理やブランキング処理を行って２分割画面表示を行う画像表示処理部１８とから構成される。ＲＯＭ２５には、処理プログラムや記録対象識別マーク等のデータが記録されている。
【００１４】
図２は、リモコン２７の外観の例を示すもので、操作キーとして、電源キー３１、テンキー３２、チャンネル順次選択キー３３、音量キー３４、操作を戻す戻るキー３５、操作を終了する終了キー３６、操作を決定する決定キー３７、表示画面の左右上下方向へカーソルを移動させるカーソルキー３８、再生録画の操作を行う録再キー群３９等から構成される。録再キー群３９の中に、静止画をキャプチャする静止画キー４０と、記録媒体に記録を行う録画キー４１とが含まれる。
【００１５】
このテレビ受信機のチューナ１２は、図２に示すリモコン２７からユーザが選局したチャンネルに対して、受光部２４を介してマイコン２３から制御指示を受けて、アンテナ１１によって受信されたテレビジョン放送信号を検波し、画像信号を、静止画処理部１３、スイッチ１９、ビデオプロセッサ１６に出力する。
【００１６】
ビデオプロセッサ１６は、静止画処理部１３がキャプチャした静止画と動画との両方同時表示の処理を画像表示処理部１８で行い、マイコン２３によってスイッチ１７を制御することにより、チューナ１２からの受信動画と画像表示処理部１８の画像のいずれかを選択して液晶表示部２６に表示させる。
【００１７】
スイッチ１７はチューナ１２の受信動画を選択しており、液晶表示部２６には動画が全面表示される。ユーザが操作部（リモコン）２７の静止画キー４０を押した場合に、スイッチ１７をチューナ１２からの信号から画像表示処理部１８の信号に切り換えて、液晶表示部２６の画面を２分割して左側に動画、右側にキャプチャした静止画を表示する。同時に、静止画処理部１３は、マイコン２３からの制御信号に基づいて、動画から１フレーム分の静止画をキャプチャして静止画用メモリ１４に格納する。静止画用メモリ１４は、キャプチャした静止画を表示等の処理のために一時格納しておくメモリであり、恒久保存する場合には外部メモリ２１に記録する必要がある。
【００１８】
なお、上記実施形態では、２分割表示としているが、主画面の中に子画面を表示するピー・イン・ピー（picture in picture）表示形式や、主画面の外に子画面を表示するピー・アウト・ピー（picture out picture）表示形式を用いて、主画面を動画用画面とし、子画面を複数の静止画面とすることもできる。また、画像記録手段として外部メモリを用いたが、記録保存ができるものであればよく、例えば、ＣＤ−ＲやＤＶＤ−Ｒ等の光磁気記録媒体でもよいし、ＨＤＤ等の磁気記録媒体でもよい。
【００１９】
上記実施形態において、ユーザは記録したい静止画あるいは動画を指定して即座に記録させることができる。図３は、静止画あるいは動画（音声を含む）を記録する処理を示すフローチャートである。図４は、この記録処理を行う場合の表示部動作を説明する説明図である。
【００２０】
ビデオプロセッサ１６のスイッチ１７は、チューナ１２の受信信号を選択しており、液晶表示部２６の画面には、図４（ａ）の動画が表示されている。ユーザは、液晶表示部２６の動画面を見ながらキャプチャしたい場面でリモコン２７の静止画キー４０を押す（ステップＳ１）。
【００２１】
ステップＳ２において、そのキャプチャ指示信号は、受光部２４を介してマイコン２３に入力され、マイコン２３は、静止画処理部１３にテレビ信号から静止画をキャプチャさせ、その静止画を静止画用メモリ１４に一旦格納させる。さらに、ビデオプロセッサ２６の画像表示処理部１８は、左側画面と右側画面を表示させるスケーリング処理（２画面表示処理）を行う。このとき、図４（ｂ）に示すように、画像のアスペクト比を維持したまま縮小して、左右同一サイズに表示する。さらに、上下に画像表示部分以外を黒表示とするブランキング処理を行う。画像表示処理部１８には、チューナ１２からの動画信号と、静止画処理部１３からの静止画信号が入力され、左側画面には動画、右側画面にはキャプチャした静止画が表示するように画像データを生成する。
【００２２】
マイコン２３は、スイッチ１７に対し、チューナ１２からの受信信号（動画）から画像表示処理部１８の信号を選択させ、液晶表示部２６に２分割画面を表示させる。こうして、ユーザは、同一サイズの動画と静止画を同時に見ることにより、両者を容易に比較することができる。
【００２３】
また、画像表示処理部５８は、動画画面あるいは静止画面のいずれかの右上に記録対象であることを示す記録識別マーク「●」５１を表示する。図４（ｂ）では、右側静止画面に記録識別マーク「●」５１を表示している。
【００２４】
ユーザは、外部メモリ２１に記録したい画像があった場合は、カーソルキー３８の左右キーを操作して、その画像が表示されている画面に記録識別マーク「●」を表示させる。例えば、図４（ｃ）に示すように、右側静止画表示画面から左側動画表示画面に移動させる。
【００２５】
従って、図３に示すように、マイコン２３が、カーソルキー３８の左右キー３８が押されたことを確認した場合（ステップＳ３；Ｙｅｓ）、左右キーの指示に従って画像表示処理部１８に記録識別マーク「●」５１を移動させる処理を行わせ、指示された画面に表示させる。処理が終わればステップＳ３に戻る。カーソルキー３８が押されていなければ（ステップＳ３；Ｎｏ）、ステップＳ５に進む。
【００２６】
ユーザが決定キー３７を押して、図４（ｄ）に示すように、新たな静止画を取り込む場合がある。従って、図３に示すように、マイコン２３は、決定キー３７が押されたことを確認した場合（ステップＳ５；Ｙｅｓ）、静止画処理部１３に新たな静止画を動画から取り込ませる。そして、静止画用メモリ１４に記録してある静止画を記憶させ、画像表示処理部１８に取り込んだ静止画に表示を更新させ、ステップＳ３に戻る。決定キー３７が押されていなければ（ステップＳ５；Ｎｏ）、ステップＳ７に進む。
【００２７】
ユーザは、記録識別マーク「●」５１が表示されている画面の画像を記録したい場合、録画キー４１を押せばよい。図４（ｅ）、（ｆ）に示すように、記録識別マーク「●」５１が表示されている画面の画像を外部メモリ２１に記録する。図４（ｆ）に示すように、記録識別マーク「●」５１が動画表示画面に表示されている場合は、動画とそれにともなう音声もともに外部メモリ２１に記録する。
【００２８】
従って、図３において、マイコン３３は、録画キー４１が押されたことを確認した場合（ステップＳ７；Ｙｅｓ）、記録識別マーク「●」が表示されている画面の画像を外部メモリ２１に記録をスタートし、ステップＳ３に戻る。静止画は、記録処理はすぐ終了するが、動画にあっては記録時間が必要となるので、例えばリモコン２７から録画時間を設定することになる。この場合、記録動作は進行中であるが、処理はステップＳ３に戻ることになる。録画キー４１が押されていなければ（ステップＳ７；Ｎｏ）、ステップＳ３に進む。
【００２９】
動画像記録を行っている場合であっても、ステップＳ３、４により、記録識別マーク「●」を移動することも可能であるし、ステップ５、６により、カーソル決定キー３７を押して新たな静止画をキャプチャし、右側静止画表示画面において静止画の更新表示を行うことも可能である。従って、ユーザは、記録中の動画を見ながら新たな静止画をキャプチャし、静止画の表示画面に記録識別マーク「●」を移動して、動画記録中あるいは動画記録を終了後に静止画の記録も可能となる。
【００３０】
ユーザは、図４（ｃ）、（ｄ）に示すように、記録中の動画を見ながら、決定キー３７を押すことによって静止画を更新し、ベストショットの静止画を選択できる。スロット部２０が、このベストショットの静止画の記録ファイルと動画記録ファイルとを関連づけて外部メモリ２１に記録する。記録した動画を再生する時には、スロット部２０が、外部メモリ２１から記録静止画を代表図として読み出し、液晶表示部２６に一覧表示する（図５（ａ）参照）。ユーザは、リモコン２７を用いて再生したい代表図５６にカーソルを移動し、決定キー３７を押すことによって選択する。マイコン２３は、スロット部２０に対して、代表図５６に関連づけられた動画５７のファイルを外部メモリ２１から読み出すよう指示し、スロット部２０が再生処理を行って、液晶表示部２６に表示する（図５（ｂ）参照）。
このように、記録した動画から再生したい動画を選択するとき、ベストショット静止画を動画の代表図として表示するので、動画内容を把握し易くなり、選択が容易となる。
【図面の簡単な説明】
【００３１】
【図１】本発明に係る画像記録装置の一実施形態である液晶テレビ受信機の構成を示すブロック図である。
【図２】操作部の外観の例を示す外観図である。
【図３】静止画をキャプチャし、静止画、動画を記録する場合の処理手順を示すフローチャートである。
【図４】動画、静止画のキャプチャ及び記録処理を行う場合の表示部動作を説明する説明図である。
【図５】静止画の代表図を一覧表示して、関連する動画を再生する場合の表示部動作を説明する説明図である。
【符号の説明】
【００３２】
１１  アンテナ
１２  チューナ
１３  静止画処理部
１４  静止画用メモリ
１６  ビデオプロセッサ
１７  スイッチ
１８  画像表示処理部
１９  スイッチ
２０  スロット部
２１  外部メモリ
２３  マイコン
２４  受光部
２６  液晶表示部
２７  リモコン
４０  静止画キー
４１  録画キー
【図１】
2007110191.tif 000003
【図２】
2007110191.tif 000004
【図３】
2007110191.tif 000005
【図４】
2007110191.tif 000006
【図５】
2007110191.tif 000007